(57)【要約】      （修正有）【課題】置き空間を節約し、無限に延伸させて組み合わせることのできる多孔直立型枠状筆立てを提供する。【解決手段】矩形の枠体である多孔直立型枠状筆立て１００において、枠状筆立て１００の頂部に位置し、複数の筆の穴１１２が開設される上部枠１１０と、枠状筆立て１００の底部に位置し、各筆の穴１１２に対する垂直位置に複数の溝１２２が設けられる下部枠１２０と、上部枠１１０及び下部枠１２０に接するように、枠状筆立て１００の２つの側部に位置する２つの側枠１３０と、を備える。枠状筆立て１００に組合延伸構造１４０及び係合構造１５０が更に設けられる。【選択図】図１
0003205164.tif 000002
【実用新案登録請求の範囲】
【請求項１】
矩形の枠体である多孔直立型枠状筆立てにおいて、
前記枠状筆立ての頂部に位置し、複数の筆の穴が開設される上部枠と、
前記枠状筆立ての底部に位置し、各前記筆の穴に対する垂直位置に複数の溝が設けられる下部枠と、
前記上部枠及び前記下部枠に接するように、前記枠状筆立ての２つの側部に位置する２つの側枠と、
を備える多孔直立型枠状筆立て。
【請求項２】
前記上部枠の内壁に頂面内部突起層を有し、各前記筆の穴が前記上部枠及び前記頂面内部突起層を貫通する請求項１に記載の多孔直立型枠状筆立て。
【請求項３】
前記下部枠の内壁に底面内部突起層を有し、各前記溝が前記底面内部突起層に形成される請求項２に記載の多孔直立型枠状筆立て。
【請求項４】
前記枠状筆立ては、組合延伸構造を更に備える請求項１に記載の多孔直立型枠状筆立て。
【請求項５】
前記組合延伸構造は、
前記枠状筆立ての正面縁部に位置する正面枠外縁と、
前記枠状筆立ての裏面縁部に位置する裏面枠外縁と、
前記正面枠外縁又は前記裏面枠外縁の一方の内壁に形成され、広口溝の設けられない他方に対応する広口溝と、
を含む請求項４に記載の多孔直立型枠状筆立て。
【請求項６】
前記枠状筆立ては、係合構造を更に備える請求項５に記載の多孔直立型枠状筆立て。
【請求項７】
前記係合構造は、
２つの側枠の前記広口溝に対向する位置に開設される少なくとも１つの係合孔と、
前記２つの側枠の前記広口溝に対する反対面の位置に設けられ、それぞれ各前記係合孔と互いに対応する少なくとも１つの係止部と、
を含む請求項６に記載の多孔直立型枠状筆立て。
【考案の詳細な説明】
【技術分野】
【０００１】
本考案は、筆立てに関し、特に、多孔直立型枠状筆立てに関する。
【背景技術】
【０００２】
従来、複数の筆記具（例えば、カラーペン）を置くには、筆箱が用いられる。前記筆箱は、１２色の筆記具を水平に置くために、平面に水平方向において延伸する複数（例えば、１２つ）の溝を有する。
【０００３】
しかしながら、使用においては、従来の筆箱は、多くの欠点を有する。（一）、従来の筆箱は、使用の時、使用者の作業台に水平に置かれるが、このように水平に置かれると、作業台における空間を取る。（二）、より多くの色（例えば、２４色又は３６色）の筆記具を使用する必要がある場合、より多くの筆箱又はより大面積の筆箱を準備して作業台に水平に置かなければならないので、作業台における面積を更に取る。（三）、従来の筆箱は、延伸して組み合わせる構造を有しないので、複数の筆箱が作業台に同時に置かれる場合、筆箱はばらばらになる。
【考案の概要】
【考案が解決しようとする課題】
【０００４】
本考案は、置き空間を節約し、無限に延伸させて組み合わせることのできる多孔直立型枠状筆立てを提供する。
【課題を解決するための手段】
【０００５】
本考案の一態様によると、矩形の枠体である多孔直立型枠状筆立てにおいて、枠状筆立ての頂部に位置し、複数の筆の穴が開設される上部枠と、枠状筆立ての底部に位置し、各筆の穴に対する垂直位置に複数の溝が設けられる下部枠と、上部枠及び下部枠に接するように、枠状筆立ての２つの側部に位置する２つの側枠と、を備える多孔直立型枠状筆立てを提供する。
【０００６】
本考案の一実施例によると、上部枠の内壁に頂面内部突起層を有し、各筆の穴が上部枠及び頂面内部突起層を貫通する。
【０００７】
本考案の一実施例によると、下部枠の内壁に底面内部突起層を有し、各溝が底面内部突起層に形成される。
【０００８】
本考案の一実施例によると、枠状筆立ては、組合延伸構造を更に備える。
【０００９】
本考案の一実施例によると、組合延伸構造は、枠状筆立ての正面縁部に位置する正面枠外縁と、枠状筆立ての裏面縁部に位置する裏面枠外縁と、正面枠外縁又は裏面枠外縁の一方の内壁に形成され、広口溝の設けられない他方に対応する広口溝と、を含む。
【００１０】
本考案の一実施例によると、枠状筆立ては、係合構造を更に備える。
【００１１】
本考案の一実施例によると、係合構造は、２つの側枠の広口溝に対向する位置に開設される少なくとも１つの係合孔と、２つの側枠の広口溝に対する反対面の位置に設けられ、それぞれ各係合孔と互いに対応する少なくとも１つの係止部と、を含む。
【考案の効果】
【００１２】
本考案に係る多孔直立型枠状筆立ては、直立するように置かれるので、枠状筆立ての置き空間を節約することができ、また、枠状筆立てが組合延伸構造と係合構造を有するので、複数の枠状筆立てを前後で無限に延伸させて組み合わせ、安定して係合させることができる。
【図面の簡単な説明】
【００１３】
【図１】本考案の一実施形態に係る多孔直立型枠状筆立ての枠体を示す外形図である。
【図２】図１に示した多孔直立型枠状筆立てを示す局部拡大図である。
【図３】図１に示した多孔直立型枠状筆立てを示す使用模式図である。
【図４】図１に示した多孔直立型枠状筆立てのＡ−Ａ線に沿った断面図を示す。
【図５】２つの図１に示した多孔直立型枠状筆立てを組み合わせた断面図を示す。
【図６】図５に示した多孔直立型枠状筆立てを示す使用模式図である。
【考案を実施するための形態】
【００１４】
本考案の前記及び他の技術内容、特徴と効果については、以下、図面に合わせて参照して詳しく説明する実施例において、明らかに述べられる。
【００１５】
図１〜図４を参照されたい。本考案の一実施形態に係る多孔直立型枠状筆立ては、矩形の枠体である。前記枠状筆立て１００は、接される上部枠１１０、２つの側枠１３０、下部枠１２０を備える。
【００１６】
上部枠１１０が枠状筆立て１００の頂部に位置する。上部枠１１０の内壁は、頂面内部突起層１１１を有する。上部枠１１０及びその頂面内部突起層１１１に複数の筆の穴１１２が開設される。
【００１７】
下部枠１２０が枠状筆立て１００の底部に位置する。下部枠１２０の内壁は、底面内部突起層１２１を有する。下部枠１２０及びその底面内部突起層１２１の各筆の穴１１２に対する垂直位置に複数の溝１２２が設けられる。各垂直に対応する筆の穴１１２と溝１２２とは、筆記具２００を収納するための収納通路及び位置限定構造を形成する。筆記具が水平に移動せず、筆記具を垂直方向からしか取り出せなく又は対応しない筆の穴１１２及び溝１２２に入れないように、筆の穴１１２と溝１２２によってそれぞれに筆記具の上部と下部の位置を限定する。頂面内部突起層１１１及び底面内部突起層１２１によって、筆の穴１１２及び溝１２２の筆記具２００に対する位置限定の長さが長くなることで、その位置限定を更に安定させることができる。
【００１８】
２つの側枠１３０は、上部枠１１０及び下部枠１２０に接するように、枠状筆立て１００の２つの側部に位置する。
【００１９】
使用の時、枠状筆立て１００が直立するように作業台３００に置かれるため、枠状筆立て１００の占める空間を大幅に節約することができる。
【００２０】
図５及び図６を合わせて参照されたい。枠状筆立て１００は、組合延伸構造１４０を更に備える。つまり、枠状筆立て１００は、対向する正面枠外縁１４１と裏面枠外縁１４２を有する。枠状筆立て１００の正面枠外縁１４１の内壁に、裏面枠外縁１４２に対応する広口溝１４３が形成される。そのため、複数の枠状筆立て１００を同時に使用する必要がある場合、隣接する前の枠状筆立て１００Ａの裏面枠外縁１４２を後の枠状筆立て１００Ｂの正面枠外縁１４１の広口溝１４３に組み合わせて覆設することができる。このように、複数の枠状筆立て１００を前後で無限に延伸させて組み合わせ、筆記具の数を多くし、複数の枠状筆立て１００がばらばらにならないようにすることができる。
【００２１】
図５及び図６を合わせて参照されたい。枠状筆立て１００は、係合構造１５０を更に備える。つまり、２つの側枠１３０の広口溝１４３に対応する位置に、それぞれ複数の係合孔１５１が開設される。２つの側枠１３０の広口溝１４３に対する反対面の位置、つまり裏面枠外縁１４２に向かう位置、それぞれ係合孔１５１に対応する複数の係止部１５２が設けられる。複数の枠状筆立て１００を互いに延伸させて組み合わせる場合、隣接する前の枠状筆立て１００Ａの係止部１５２を後の枠状筆立て１００Ｂの係合孔１５１に係合させて、隣接する枠状筆立て１００を安定して組み合わせることができる。
【００２２】
本考案の一実施形態に係る多孔直立型枠状筆立ては、直立するように置かれるので、枠状筆立ての置き空間を節約することができ、また、枠状筆立てが組合延伸構造と係合構造を有するので、複数の枠状筆立てを前後で無限に延伸させて組み合わせ、安定して係合させることができる。
【００２３】
本考案を実施形態で前述の通り開示したが、これは本考案を限定するためのものではなく、当業者であれば、本考案の精神と範囲から逸脱しない限り、各種の変更や修正を加えることができる。従って、本考案の保護範囲は、実用新案登録請求の範囲で指定した内容を基準とするものである。
【符号の説明】
【００２４】
１００  枠状筆立て
１００Ａ  前の枠状筆立て
１００Ｂ  後の枠状筆立て
１１０  上部枠
１１１  頂面内部突起層
１１２  筆の穴
１２０  下部枠
１２１  底面内部突起層
１２２  溝
１３０  側枠
１４０  組合延伸構造
１４１  正面枠外縁
１４２  裏面枠外縁
１４３  広口溝
１５０  係合構造
１５１  係合孔
１５２  係止部
２００  筆記具
３００  作業台
【図１】
0003205164.tif 000003
【図２】
0003205164.tif 000004
【図３】
0003205164.tif 000005
【図４】
0003205164.tif 000006
【図５】
0003205164.tif 000007
【図６】
0003205164.tif 000008